(57)【要約】【課題】簡単な回路もしくは処理で、表示デバイスのサブピクセルの順序が変わっても色付きや斜め線の品位が低下しない画像処理装置と画像処理方法と記憶媒体を提供することを目的とする。【解決手段】複数の基本色をそれぞれ発光する発光素子（サブピクセル）から各画素が構成される表示手段と、特定のサブピクセルに対応する信号のディレイ量を変化させるラッチによって、サブピクセル順序により生じた輝度重心のずれを吸収する。【選択図】図１
2006146179.tif 000002
【特許請求の範囲】
【請求項１】
複数の基本色をそれぞれ発光する発光素子（サブピクセル）から各画素が構成される表示手段と、特定の前記基本色に対応する信号のディレイ量を変化させ前記表示手段へ出力する遅延手段とから構成されることを特徴とする画像処理装置。
【請求項２】
各基本色に対応する前記遅延手段の出力に対し、それぞれ個別にスルーできるようにセレクタが追加されたことを特徴とする請求項１記載の画像処理装置。
【請求項３】
画素が複数のサブピクセルから構成される表示手段に与える信号のうち特定サブピクセルに対応する信号のディレイ量を変更することでサブピクセル順序をかえることを特徴とする画像処理方法。
【請求項４】
請求項３記載の画像処理方法を記憶した記憶媒体。
【請求項５】
画素が複数のサブピクセルから構成される表示手段に与える信号のうち特定サブピクセルに対応するＯＳＤ信号、及びＯＳＤ挿入信号のディレイ量を変更することでサブピクセル順序をかえることを特徴とする画像処理方法。
【請求項６】
複数の基本色をそれぞれ発光する発光素子（サブピクセル）から各画素が構成される表示手段と、前記複数の基本色毎にＯＳＤ信号のディレイ量を特定の前記基本色毎に変化させるＯＳＤ信号位相調整手段と、ＯＳＤ挿入信号のディレイ量を特定の前記基本色毎に変化させるＯＳＤ挿入信号位相調整手段と、映像信号と前記ＯＳＤ信号位相調整手段の出力とをＯＳＤ挿入位相調整手段の出力に応じて選択出力し表示手段へ供給するＯＳＤ重畳手段とから構成されることを特徴とする画像処理装置。
【発明の詳細な説明】
【技術分野】
【０００１】
本発明は、ＲＧＢ３原色等の基本色の発光素子をストライプ配列し１画素として表示する表示デバイス、例えばカラー液晶ディスプレイ、カラープラズマディスプレイ、有機ＥＬディスプレイ等への表示方法及びそれらを用いた表示装置に関するものであり、特にテレビやプロジェクタ、携帯電話、携帯端末等に関するものである。
【背景技術】
【０００２】
ドットマトリクス型と呼ばれる表示デバイスにてカラー表示を行う場合、例えば、カラー液晶（ＬＣＤ）ディスプレイ、カラープラズマディスプレイ、カラー有機ＥＬパネル等では、ＲＧＢ３原色を基本色とし、それぞれの色で発光する３つの発光素子を一定の順序で並べて１画素としている。これらの発光素子は一般にサブピクセルと呼ばれており、並べ方にはストライプ配列、ダイアゴナル配列、デルタ配列、レクタングル配列と呼ばれるものがある。また、同じストライプ配列であっても、各サブピクセルの順序が一様ではなく、ＲＧＢのものがあればＢＲＧのものがある場合がある。
【０００３】
一方、様々な理由からある配列の表示デバイスにあわせて設計をしたものに、配列の異なる表示デバイスを接続することがある。このような場合、表示画像のエッジ部分に色つきが生じたり、斜め線がガタガタになったりする現象が生じることがあった。この問題を解決しようとする従来技術の一例を具体的に図を用いて説明する。
【０００４】
図８は従来技術の一例の基本構成を示す図である。図８において、４１は色画像表示装置全体を表す。この装置４１は、基本色を表す複数のサブピクセルにより各画像が構成される色画像を表示する表示手段、例えばカラー液晶ディスプレイ４４を含む。
【０００５】
原画像色知覚予測部４５は、記憶部４２に格納された原画像に変換を加えて得た三次元の表色系で表された三次元表色系画像から、人が知覚するであろう色を予測する色知覚処理を行う。また表示画像色知覚予測部４６は、縮小画像Ｖを表示手段４４に表示したときに得られる画像に対して、上述した色知覚処理と同様の色知覚処理を行い、その画像から人が知覚するであろう色を予測する。さらにまた縮小画像最適化部４７は、原画像色知覚予測部５の予測結果と表示画像色知覚予測部４６の予測結果とを比較し、両者の差が最小となるように縮小画像Ｖに修正を加える。これにより前述した色ずれがなるべく人の目に目立たないようにしようとするものである（たとえば特許文献１を参照）。
【０００６】
一方、昨今ドットマトリクス型の表示デバイス上に、ＯＳＤ（Ｏｎ  Ｓｃｒｅｅｎ  Ｄｉｓｐｌａｙ）信号として文字表示を行う際、図９に示す様に、クリアタイプフォントなどと呼ばれる、輝度重心を、サブピクセルを利用して補正する事で、斜め線の品位を向上したフォントが用いられている（たとえば特許文献２を参照）。
【特許文献１】特開２００３−００６６３０号公報
【特許文献２】特開２０００−１５５５５１号公報
【発明の開示】
【発明が解決しようとする課題】
【０００７】
しかしながら、従来技術の一例では処理が複雑で計算に時間がかかる又は回路規模が大きくなるという問題があった。
【０００８】
本発明は、上記の問題に鑑みなされたものであって簡単な回路もしくは処理で、表示デバイスのサブピクセル順序が変わっても色付きや斜め線の品位が低下しない画像処理装置と画像処理方法と記憶媒体を提供することを目的とする。
【課題を解決するための手段】
【０００９】
上記課題を解決するために本発明の画像表示装置は、複数の基本色をそれぞれ発光する発光素子（サブピクセル）から各画素が構成される表示手段と、特定の前記基本色に対応する信号のディレイ量を変化させ前記表示手段へ出力するラッチとから構成されることを特徴とするものである。
【００１０】
また、上記課題を解決するために本発明の画像表示方法は、画素が複数のサブピクセルから構成される表示手段に与える信号のうち特定サブピクセルに対応する信号のディレイ量を変更することを特徴とするものである。
【００１１】
また、上記課題を解決するための本発明の記憶媒体は、画素が複数のサブピクセルから構成される表示手段に与える信号のうち特定サブピクセルに対応する信号のディレイ量を変更する方法を格納したものである。
【００１２】
また、上記課題を解決するための本発明の画像処理方法は、画素が複数のサブピクセルから構成される表示手段に与える信号のうち特定サブピクセルに対応するＯＳＤ信号、及びＯＳＤ挿入信号のディレイ量を変更することでサブピクセル順序をかえることを特徴とするものである。
【発明の効果】
【００１３】
上記したように本発明によれば、簡単な回路で、表示デバイスのサブピクセル順序によって生じた輝度重心のずれを吸収でき、これによる色つきや斜め線の滑らかさが悪化することを低減可能な画像処理装置と画像処理方法と記憶媒体を提供することが可能となる。
【発明を実施するための最良の形態】
【００１４】
（実施の形態１）
図１は本発明の第一の実施の形態における画像表示装置のブロック図である。図１において表示デバイス３はクロックに同期したＲＧＢの各デジタル信号を受け取り、画像を表示する表示デバイスであり、例えば、液晶パネルやプラズマパネルを指す。そして表示デバイス３の１画素はストライプ配列でＢＲＧの順に並んだサブピクセルで構成される。ラッチ１はデジタル信号のうちＢの信号を１画素分、すなわち１クロック遅らせる遅延回路である。
【００１５】
このようにＢの信号のみ１クロック遅らせることで、実際に画素に表示される信号は図１中のピクセルｂの用にＢ０，Ｒ１，Ｇ１という順序になり、Ｂの画素のみ左側の画素の信号を表示する形となる。
【００１６】
一方、図２は、Ｂ，Ｒ、Ｇ配列の表示デバイスにおいて横軸に水平空間座標を、縦軸に輝度をおいたときの各サブピクセルにおける輝度の分布をしめしている。このようにＢ，Ｒ，Ｇが１画素となっているが実際の輝度の重心はその中央のＲには無く、右端のＧにある。ところが、このように輝度分布のある表示デバイスにおいて実際に映像を表示させ、肉眼で見ると輝度の中心を画素の重心として捕らえてしまう為、Ｇのある画素とは別の、右隣にある画素のＢがあたかもずれてしまったように見えてしまう現象が生じる。これが、斜め線の品位が落ちたり、色付きが生じたりする原因となってしまっている。
【００１７】
つまり、本実施の形態では図１のラッチ１によって表示デバイス１に与える映像信号のＢを遅らせ、あらかじめ前記した現象を考慮した図１のピクセルａの配列とすることで正常な表示が可能となる。
【００１８】
なお、本実施の形態では、パネルに行く信号を直接遅延させているが、パネルによってはＬＶＤＳ等のデジタルＩＦを介して接続されるものもあり、間にこれらＩＦがあっても良いことは言うまでもない。
【００１９】
また、ラッチ１は表示デバイス上の特定サブピクセル（本例はＢ）のデータを１画素分右に移動させる為のものであり、例えばソフトウエア上で表示デバイスに対応したフレームバッファや、ラインバッファなどの記憶媒体への書き込みを特定サブピクセルのみずらして書き込んでも同等であることは言うまでもない。
【００２０】
（実施の形態２）
本実施の形態では実施の形態１とは異なる配列の表示デバイスを接続したときの例である。図３は本実施の形態におけるブロック図である。図３において表示デバイス４はストライプ配列でサブピクセルの並びがＧ，Ｂ，Ｒの順になっている表示デバイスである。また、ラッチ１は表示デバイス４へ行くデジタル映像信号のＧ信号、Ｂ信号を１画素分遅らせるラッチである。
【００２１】
実施の形態１と同様に表示デバイス本来の画素の並びでは図３中のピクセルｂの組み合わせで１画素が構成されるが、目視上では図３中のピクセルａのようにＧを中心として１画素が構成させているように見えてしまう。ところがラッチ１により映像信号Ｇと映像信号Ｂが遅れる為ピクセルａの組み合わせのときのデータはＲ１，Ｇ１，Ｂ１となり、データのズレがなくなり、元々生じていた色ずれや斜め線品位の低下が生じなくなっている。
【００２２】
（実施の形態３）
本実施の形態では異なるサブピクセル順序になっている表示デバイスに置き換わっても対応できるようにしたものである。図４は本実施の形態におけるブロック図である。図４において図３、図１と同様の機能を持つものにおいては同一の参照符号をつけ詳細な説明は省略する。図４中においてセレクタ５は表示デバイス３に入力される映像信号の各Ｒ、Ｇ、Ｂのサブピクセルに対応したデータそれぞれにおける、ラッチ１の出力とラッチ１の入力とを切り替えるセレクタである。図４に示したようにセレクタ５はそれぞれに対応したｄｅｌａｙ制御信号に従いラッチ１をスルーするか否かを切り替える。
【００２３】
以上のように構成された本実施の形態により各サブピクセルに対応したデータのディレイ量をそれぞれ個別に切り替えることが可能な為、異なる配列の表示デバイスに変わっても制御信号を変えるだけで対応可能となる。
【００２４】
（実施の形態４）
本実施の形態では、クリアタイプフォントなどサブピクセルを利用して高解像度フォントを使用したＯＳＤ信号を、前記フォントを構成するサブピクセルの画素配列と異なる配列の表示デバイスで対応するようにしたものである。
【００２５】
図５は本実施の形態におけるブロック図である。図５において、図３、図１と同様の機能を持つものにおいては横溢の参照符号をつけ詳細な説明は、省略する。
【００２６】
ＯＳＤ信号位相調整回路６は、ＯＳＤ信号について、それぞれの基本色毎にｄｅｌａｙ制御信号に基づき１クロック分の遅延付加の有無を選択出力するセレクタ５ａ、５ｂ、５ｃで構成される。ＯＳＤ挿入信号位相調整回路７は、ＯＳＤ挿入信号について、前記ｄｅｌａｙ制御信号に基づき１クロック分の遅延付加の有無を選択するセレクタ５ｄ、５ｅ、５ｆにより、基本色毎に独立したＯＳＤ挿入信号を作成出力する。セレクタ５ｇ、５ｈ、５ｊは、ＯＳＤ信号位相調整回路６の出力と映像信号とを、ＯＳＤ挿入信号位相調整回路７の出力により選択出力するセレクタであり、映像信号にＯＳＤ信号を重畳した出力を取得して、表示デバイス３へ供給する。
【００２７】
上記のように構成された本実施の形態について、図６、図７を用いて動作を説明する。図６ａ）は、Ｒ，Ｇ，Ｂ配列の表示媒体用にサブピクセルを利用したフォントであり、ＯＳＤ信号である。図６ｂ）は、前述図６ａ）の信号を、Ｒ，Ｇ，Ｂ配列の表示媒体に表示した場合の表示例であり、ＯＳＤ信号としての図６ａ）を忠実に再現している。
【００２８】
一方、表示デバイス３の様に、Ｂ，Ｒ，Ｇ配列の表示デバイスにそのまま表示した場合は、図６ｃ）の表示例に様に表示される事から、ＯＳＤ信号としての図６ａ）の入力が再現されていない事が分かる。
【００２９】
この様に表示デバイスのサブピクセル配列と、ＯＳＤ信号として使用するフォントのサブピクセル配列が異なる場合、サブピクセルの順序が入れ替わる事でＯＳＤ信号として入力されるフォントと同一の表現をする事ができなく、表示品位を大きく劣化させてしまう事が明白である。
【００３０】
そこで、本実施の形態では、Ｂ，Ｒ，Ｇ配列の表示デバイス３に対し、図５中Ｒ，Ｇ，Ｂのｄｅｌａｙ制御信号を、それぞれ１，１，０とする。ＯＳＤ信号位相調整回路６の出力は、図７の様に、基本色Ｂについてのみ１クロック遅延したＯＳＤ信号を出力する。同様に、ＯＳＤ挿入信号位相調整回路７の出力も、基本色Ｂについてのみ１クロック遅延したＯＳＤ挿入信号を出力する。
【００３１】
ＯＳＤ信号位相調整回路６の出力は、セレクタ５ｇ、５ｈ、５ｊにて、ＯＳＤ挿入信号位相調整回路７の出力によって、映像信号に重畳されるが、ＯＳＤ信号、ＯＳＤ挿入信号は、基本色Ｂのみ１クロック遅延しており、映像信号への重畳されたＯＳＤ信号は、各画素についてＢｎ−１，Ｒｎ，Ｇｎの関係で表示される。
【００３２】
この結果、図６ｄ）の様に、Ｘ１列の画素は、Ｂ０、Ｒ１，Ｂ１と、Ｘ２列の画素は、Ｂ１、Ｒ２，Ｇ２と表示され、図６ｄ）内の区間IIの表示内容に着目すると、Ｒ２，Ｇ２，Ｂ２との並びとなり、図６ｂ）のＲ、Ｇ、Ｂ配列の表示媒体での表示例における、区間Ｉの表示内容のＲ２，Ｇ２，Ｂ２と同一表示内容であり、図６ａ）のＯＳＤ信号を再現できている事が分かる。
【００３３】
以上のように構成された本実施の形態により、各サブピクセルに対応したＯＳＤ信号のディレイ量を切り替える事が可能な為、表示デバイスのサブピクセル配列と、ＯＳＤ信号として使用するフォントのサブピクセル配列が異なっていても、ｄｅｌａｙ制御信号を変えるだけで文字品位の劣化無く表示する事が可能となる。
【００３４】
尚、本実施の形態ではＯＳＤの重畳方法として、ＯＳＤと映像信号をセレクタにより選択出力する方法としたが、ＯＳＤと映像信号の各レベルの混合比率を可変して重畳する場合でも同様の効果が得られる。
【００３５】
尚、本実施の形態は、表示デバイスを、Ｂ，Ｒ，Ｇ配列としたが、Ｇ，Ｂ，Ｒ配列の場合、Ｒ，Ｇ，Ｂのｄｅｌａｙ信号を、１，０，０とする事で同様の効果が得られる。
【産業上の利用可能性】
【００３６】
本発明にかかる画像処理方法と画像処理装置とは、簡単な回路で色つきや斜め線の滑らかさが悪化を低減することができるものであり、ＲＧＢ３原色等の基本色の発光素子をストライプ配列し１画素として表示する表示デバイス、例えばカラー液晶ディスプレイ、カラープラズマディスプレイ、有機ＥＬディスプレイ等への表示方法及びそれらを用いた表示装置を有する機器等において有用である。
【図面の簡単な説明】
【００３７】
【図１】実施の形態１における画像表示装置のブロック図
【図２】ＢＲＧ配列の表示デバイスにおける各サブピクセルにおける輝度の分布を示すグラフ
【図３】実施の形態２における画像表示装置のブロック図
【図４】実施の形態３における画像表示装置のブロック図
【図５】実施の形態４における画像表示装置のブロック図
【図６】実施の形態４の動作による表示の概要図
【図７】実施の形態４におけるＯＳＤ信号、及びＯＳＤ挿入信号位相調整回路の動作図
【図８】従来の画像表示装置のブロック図
【図９】従来のサブピクセルを用いた高解像フォントの概要図
【符号の説明】
【００３８】
１    ラッチ
３    ＢＲＧ配列の表示デバイス
４    ＧＢＲ配列の表示デバイス
５、５ａ、５ｂ、５ｃ、５ｄ、５ｅ、５ｆ、５ｇ、５ｈ、５ｊ    セレクタ
６    ＯＳＤ信号位相調整装置
７    ＯＳＤ挿入信号位相調整装置
【図１】
2006146179.tif 000003
【図２】
2006146179.tif 000004
【図３】
2006146179.tif 000005
【図４】
2006146179.tif 000006
【図５】
2006146179.tif 000007
【図６】
2006146179.tif 000008
【図７】
2006146179.tif 000009
【図８】
2006146179.tif 000010
【図９】
2006146179.tif 000011